(57)【要約】【課題】仮設トイレにおける、排泄物の臭いと見た目による排泄環境を改善し、かつ保存性をよくする。【解決手段】下蓋部１３０には、本体部１４０の上方開口部を覆い、排泄のための第１の排泄穴１３１が設けられ、第１の排泄穴１３１の外周部に、排泄物を入れる収容袋２００を固定する固定部１３２が設けられ、着座蓋１２０には、下蓋部１３０を覆い、第１の排泄穴１３１と重なるように設けられた第２の排泄穴１２１が設けられる。【選択図】図１
2016221026.tif 000002
【特許請求の範囲】
【請求項１】
本体部に排泄物を入れる収容袋を取り付けて用いる仮設トイレにおいて、
前記本体部の上方開口部を覆い、排泄のための第１の排泄穴が設けられ、前記第１の排泄穴の外周部に、前記収容袋を固定する固定部が設けられた下蓋部と、
前記下蓋部を覆い、前記第１の排泄穴と重なるように設けられた第２の排泄穴が設けられた着座蓋と、
を備えることを特徴とする仮設トイレ。
【請求項２】
前記排泄穴が、
前記着座蓋の対角線に長軸が沿うような楕円形の穴であることを特徴とする請求項１記載の仮設トイレ。
【請求項３】
前記固定部が、
前記下蓋部に設けられた穴を覆うように取り付けられた可撓性素材であって、前記可撓性素材の中心から放射状に切り込みが入れられていることを特徴とする請求項１記載の仮設トイレ。
【請求項４】
前記収容袋が、
排泄１回分の排泄物のみ入る容量であることを特徴とする請求項１記載の仮設トイレ。
【請求項５】
前記収容袋の開口部を挟持して閉じる挟持部と、
前記挟持部と離間して平行に設けられた折り返し部と、
前記折り返し部の端部と、前記挟持部のヒンジ部分側端部とを連結し、前記折り返し部を支持する支持連結部と、
を備えるクリップを備えることを特徴とする請求項１記載の仮設トイレ。
【請求項６】
前記クリップが、
前記挟持部を閉じた状態で固定する状態固定部を備えることを特徴とする請求項５記載の仮設トイレ。
【発明の詳細な説明】
【技術分野】
【０００１】
本発明は、仮設トイレに関し、特に本体部に排泄物を入れる収容袋を取り付けて用いる仮設トイレに関する。
【背景技術】
【０００２】
従来、災害時などに用いる仮設トイレにおいては、１つの袋に対して複数人が排泄を行い、ある程度の量が溜まった段階で袋を交換するというものであった。排泄物をためる袋には、凝固剤と消臭剤が入ってはいるものの、臭いを完全に消せるわけはなく、かつ袋は解放されているので見た目もよくない。特に災害時などであって精神的な疲労が蓄積しているときはより一層の苦痛な状況である。
【０００３】
そこで、電気式であって、１回ごとに袋の開口部分が熱シールされることによって、臭や見た目が改善された仮設トイレが提案されている（たとえば、特許文献１参照）。
【先行技術文献】
【特許文献】
【０００４】
【特許文献１】特開２００９−２８５２９７号公報
【発明の概要】
【発明が解決しようとする課題】
【０００５】
しかし、特に仮設トイレを使用する必要性がある災害時などにおいては、電気の供給がままならず、使用が難しい状況であることが多い。また、蓄電池から電気を供給する場合であっても、蓄電池の充電を常に気にしていなければならないという意味で保存性が悪い。また、蓄電池やモータなどが必要であるので、一定以上の大きさになってしまうという意味でも保存性が悪い。さらに、蓄電池やモータなどが必要であるということから、一定以上の重量になってしまうという意味で、設置コストがあがるという問題がある。
【０００６】
本発明はこのような点に鑑みてなされたものであり、排泄物の臭いと見た目による排泄環境を改善し、かつ保存性がよい仮設トイレを提供することを目的とする。
【課題を解決するための手段】
【０００７】
本発明では上記問題を解決するために、本体部に排泄物を入れる収容袋を取り付けて用いる仮設トイレにおいて、前記本体部の上方開口部を覆い、排泄のための第１の排泄穴が設けられ、前記第１の排泄穴の外周部に、前記収容袋を固定する固定部が設けられた下蓋部と、前記下蓋部を覆い、前記第１の排泄穴と重なるように設けられた第２の排泄穴が設けられた着座蓋とを備えることを特徴とする仮設トイレが提供される。
【０００８】
これにより、本体部の上方開口部を覆う下蓋部には、排泄のための第１の排泄穴が設けられ、第１の排泄穴の外周部に、排泄物を入れる収容袋を固定する固定部が設けられ、着座蓋には、下蓋部を覆い、第１の排泄穴と重なるように設けられた第２の排泄穴が設けられる。
【発明の効果】
【０００９】
本発明の仮設トイレによれば、下蓋部には、排泄のための第１の排泄穴が設けられ、第１の排泄穴の外周部に、排泄物を入れる収容袋を固定する固定部が設けられ、第１の排泄穴と重なるように設けられた第２の排泄穴が設けられる着座蓋によって下蓋部を覆うことにより、着座蓋によっても固定部で固定された収容袋が固定されるので、小さな収容袋を使った仮設トイレが実現可能となり、その小さな収容袋を排泄ごとに交換するように運用することで、排泄物の臭いと見た目による排泄環境を改善することができる。また、このような仮設トイレは電動の駆動部材がないので保存性をよくすることができる。
【図面の簡単な説明】
【００１０】
【図１】本実施の形態に係る仮設トイレの構成を示す図である。
【図２】仮設トイレに収容袋を取り付けた状態を示す図である。
【図３】着座蓋部を閉じた状態を示す図である。
【図４】収容袋の開口部を閉じる手順を示した図である。
【図５】本実施の形態に係るクリップを示す図である。
【発明を実施するための形態】
【００１１】
以下、本発明の実施の形態を図面を参照して詳細に説明する。
図１は、本実施の形態に係る仮設トイレの構成を示す図である。
図１に示すように、仮設トイレ１００は、上蓋部１１０、着座蓋部１２０、下蓋部１３０、および本体部１４０を備えている。
【００１２】
着座蓋部１２０は、楕円形の穴１２１を備えている。
下蓋部１３０は、楕円形の穴１３１、および楕円形の穴１３１の長軸および短軸の延長線上であって、楕円形の穴１３１の外周近傍に排泄物を入れるための収容袋を固定するための固定部１３２を備えている。
【００１３】
図２は、仮設トイレに収容袋を取り付けた状態を示す図である。
図２に示すように、収容袋２００は、下蓋部１３０に設けられた固定部１３２に固定される。固定部１３２は、たとえばゴム製であって、中程に米印の切り込みが入れられているものを用いる。収容袋２００の端部を固定部１３２に設けられた切り込みに指などで押し込むことによって収容袋２００を固定する。
【００１４】
図３は、着座蓋部を閉じた状態を示す図である。
図３に示すように、着座蓋部１２０に設けられた楕円形の穴１２１は、下蓋部１３０に設けられた楕円形の穴１３１に重なるように設けられている。
【００１５】
下蓋部１３０に設けられた固定部１３２によって固定された収容袋２００は、その上から着座蓋部１２０によって押さえつけ、さらにユーザが着座蓋部１２０の上に座ることによってもさらに固定される。
【００１６】
収容袋２００は、排泄１回分の排泄物のみ入る容量のものなので従来の収容袋より小さい。従来の収容袋は、本体部の大きさに合うように容量が選択されていた。したがって、従来の収容袋を本体部に取り付けるときは固定するというより本体部の内側を収容袋で覆うという感覚であったので、収容袋を固定するという発想がなかった。
【００１７】
本願発明の収容袋２００は、排泄１回分の排泄物のみ入る容量のものにして、ユーザが他人の排泄物の臭いを気にせず、かつ見た目による不快な感情を抱くことないようにするということを目的としている。そのためには簡易に収容袋２００を捨てることができるようにすることも重要な要素となる。
【００１８】
図４は、収容袋の開口部を閉じる手順を示した図である。
収容袋２００の開口部を閉じるときは、図４（Ａ）に示すように、収容袋２００の開口部付近を手でつかんで結ぶか、クリップなどで挟んで閉じることになる。しかし、開口部を結ぶことを強要するとなると、手間であると感じるユーザがいたときに収容袋２００を処理しないという人が現れて排泄環境が悪化する。
【００１９】
また、単純に開口部をクリップなどで挟んで閉じた場合には、仮設トイレ１００の近くに設けられる貯蔵場所へ収容袋２００を放り投げると、挟持力が足りずに排泄物が出てきてしまうことがある。開口部を結んだとしても、結びがゆるかった場合も同様の問題が生じる。これでは、せっかく収容袋２００を排泄１回分の排泄物のみ入る容量のものにしても、貯蔵場所から悪臭が出てきてしまい、排泄環境が悪くなってしまう。
【００２０】
そこで、図４（Ｂ）に示すように、収容袋２００の開口部付近に指を挟んで折り返し、図４（Ｃ）に示すように、折り返した上で二重にした部分をクリップで挟んで閉じる。このようにすると、厚みが出るので同じ挟持力のクリップであっても排泄物が出てきてしまう問題が解消される。
【００２１】
一方で、手が不自由なユーザや、高齢者などには開口部付近を折り返してクリップで留めることが難しいことがある。
【００２２】
図５は、本実施の形態に係るクリップを示す図である。
図５に示すように、クリップ４００は、挟持部４１０，４２０を備え、ヒンジ部４３０で接続されている。また、挟持部４１０，４２０の長手方向と平行に、かつ挟持部４１０，４２０と離間して折り返し部４４０が設けられている。挟持部４２０のヒンジ部４３０側端部には、折り返し部４４０を支持する支持部４５０が設けられている。
【００２３】
このクリップ４００を用いると、折り返し部４４０を用いて収容袋２００の開口部付近を折り返して、挟持部４１０，４２０で収容袋２００の二重にした部分を挟持する。挟持部４１０，４２０のヒンジ部４３０側とは反対側の端部には、それぞれメスの固定部４１１、およびオスの固定部４２１が設けられており、固定部４１１，４２１によって挟持部４１０，４２０が挟持した状態で固定される。
【００２４】
これにより、収容袋２００の開口部付近を折り返して二重にした部分作るために指を挟む作業をする必要はない。したがって、手が不自由なユーザや、高齢者などであっても開口部付近を折り返してクリップで留めること容易になる。つまり、誰であっても収容袋２００の開口部を容易にかつ強固に閉じることができるので、貯蔵場所から悪臭が出てきてしまい、排泄環境が悪くなってしまうという不具合を生じないようにすることができる。
【００２５】
なお、本体部１４０は、折りたたむことができる構成としてもよい。本実施の形態に係る仮設トイレ１００は、駆動部分などがないので折りたたむことによって極めて省スペースで保存することが可能となる。当該構成によると、保存の際に小さくすることができるという意味で極めて保存性がよくなる。
【符号の説明】
【００２６】
１００  仮設トイレ
１１０  上蓋部
１２０  着座蓋部
１２１，１３１  楕円形の穴
１３０  下蓋部
１３２  固定部
１４０  本体部
２００  収容袋
【図１】
2016221026.tif 000003
【図２】
2016221026.tif 000004
【図３】
2016221026.tif 000005
【図４−Ａ】
2016221026.tif 000006
【図４−Ｂ】
2016221026.tif 000007
【図４−Ｃ】
2016221026.tif 000008
【図５】
2016221026.tif 000009